(57)【要約】【課題】燃焼機の圧力算出装置を提供する。【解決手段】バーナーと連結されて火炎が噴射される燃焼室の燃焼振動を予測するが、バーナーの入口圧力を含むデータを入力する入力部と、バーナーから燃焼室までの形状、燃焼室の温度分布及び火炎の形状に基づいて燃焼室の圧力を検出する制御部と、を備える圧力算出装置。これにより、燃焼振動の推定確度が向上する。【選択図】図１
2015060596.tif 000002
【特許請求の範囲】
【請求項１】
バーナーと連結されて火炎が噴射される燃焼室の圧力を算出する圧力算出装置であって、
前記バーナーの入口圧力を含むデータを入力する入力部と、
前記バーナーから前記燃焼室までの形状、前記燃焼室の温度分布及び前記火炎の形状に基づいて前記燃焼室の圧力を算出する制御部と、を備える圧力算出装置。
【請求項２】
前記制御部は、
前記データに基づいて算出された固有値（ｅｉｇｅｎｖａｌｕｅ）を持つ変換行列を用いて、前記燃焼室での圧力を算出することを特徴とする請求項１に記載の圧力算出装置。
【請求項３】
前記変換行列が保存される保存部をさらに備える請求項２に記載の圧力算出装置。
【請求項４】
前記データは、
前記バーナーから前記燃焼室までの形状関連データ、前記燃焼室の温度分布関連データ、及び前記火炎の形状関連データを含む請求項２または請求項３に記載の圧力算出装置。
【請求項５】
前記バーナーから前記燃焼室までの形状関連データは、
前記バーナーの形状関連データ、前記バーナーと前記燃焼室との連結部の形状変化関連データ、及び前記燃焼室の形状関連データを含む請求項２から請求項４のいずれか１項に記載の圧力算出装置。
【請求項６】
前記制御部は、
前記バーナーの形状関連データに基づいたバーナー形状変換行列、前記バーナーと前記燃焼室との連結部の形状変化関連データに基づいた形状変化変換行列、前記燃焼室の形状関連データに基づいた燃焼室形状変換行列、前記燃焼室の温度分布関連データに基づいた温度分布変換行列、及び前記火炎の形状関連データに基づいた火炎形状変換行列が合わせられた（ｓｕｍｍａｔｉｏｎ）全体行列（ｇｌｏｂａｌ ｍａｔｒｉｘ）を用いて、前記燃焼室の圧力を算出することを特徴とする請求項２から請求項５のいずれか１項に記載の圧力算出装置。
【請求項７】
前記全体行列は、
バーナー形状変換行列、形状変化変換行列、温度分布変換行列、火炎形状変換行列及び燃焼室形状変換行列の順に合わせられた行列であることを特徴とする請求項６に記載の圧力算出装置。
【請求項８】
前記バーナーと前記燃焼室との連結部の形状変化関連データは、
前記バーナーの出口端の断面積と前記燃焼室の断面積との比を含む請求項５から請求項７のいずれか１項に記載の圧力算出装置。
【請求項９】
前記燃焼室の温度分布関連データは、
前記燃焼室での温度グラジエントを含む請求項２から請求項８のいずれか１項に記載の圧力算出装置。
【請求項１０】
前記温度グラジエントは、数値流体力学（Ｃｏｍｐｕｔａｔｉｏｎａｌ Ｆｌｕｉｄ Ｄｙｎａｍｉｃｓ）を通じて算出されることを特徴とする請求項９に記載の圧力算出装置。
【請求項１１】
前記火炎の形状関連データは、
前記火炎の長手方向に沿って抽出された複数の火炎面に基づくことを特徴とする請求項２から請求項１０のいずれか１項に記載の圧力算出装置。
【請求項１２】
複数のバーナーと連結されてそれぞれ火炎が噴射される燃焼室の圧力を算出する圧力算出装置であって、
前記複数のバーナーの入口圧力を含むデータを入力する入力部と、
前記複数のバーナーから前記燃焼室までの形状、前記燃焼室の温度分布及び前記火炎の形状に基づいて前記燃焼室の圧力を算出する制御部と、を備える圧力算出装置。
【請求項１３】
前記制御部は、
前記複数のバーナーそれぞれについて、該バーナーから前記燃焼室までの形状関連データ、前記燃焼室の温度分布関連データ、及び該バーナーによって前記燃焼室に噴射される火炎の形状関連データに基づいて算出された固有値を持つ変換行列を用いて、前記燃焼室での圧力を算出することを特徴とする請求項１２に記載の圧力算出装置。
【請求項１４】
前記制御部は、
１つのバーナーから前記燃焼室を経て他の１つのバーナーまで順に、該データに基づいて算出された固有値を持つ変換行列が合わせられた全体行列を用いて、前記燃焼室の圧力を算出することを特徴とする請求項１２または請求項１３に記載の圧力算出装置。
【請求項１５】
前記複数のバーナーは、互いに対向してそれぞれ前記燃焼室に連結される第１バーナー及び第２バーナーを備え、
前記全体行列は、
前記第１バーナーの形状関連データに基づいた第１バーナー形状変換行列、前記第１バーナーと前記燃焼室との連結部の形状変化関連データに基づいた第１形状変化変換行列、前記第１バーナーから噴射される火炎による前記燃焼室の温度分布関連データに基づいた第１温度分布変換行列、前記第１バーナーから噴射される火炎の形状関連データに基づいた第１火炎形状変換行列、前記燃焼室の形状関連データに基づいた燃焼室形状変換行列、前記第２バーナーから噴射される火炎の形状関連データに基づいた第２火炎形状変換行列、前記第２バーナーから噴射される火炎による前記燃焼室の温度分布関連データに基づいた第２温度分布変換行列、前記第２バーナーと前記燃焼室との連結部の形状変化関連データに基づいた第２形状変化変換行列、及び前記第２バーナーの形状関連データに基づいた第２バーナー形状変換行列の順に合わせた行列であることを特徴とする請求項１４に記載の圧力算出装置。
【請求項１６】
前記第１及び第２バーナーと前記燃焼室との連結部の形状変化関連データは、前記第１及び第２バーナーの出口端の断面積と前記燃焼室の断面積との比を含み、
前記第１及び第２バーナーから噴射される火炎による前記燃焼室の温度分布関連データは、前記燃焼室での温度グラジエントを含み、
前記第１及び第２バーナーから噴射される火炎の形状関連データは、該火炎の長手方向に沿って抽出された複数の火炎面に基づくことを特徴とする請求項１５に記載の圧力算出装置。
【請求項１７】
入力部がデータを入力する段階と、
制御部が、前記データに基づいて燃焼室の圧力を算出する段階と、を含み、
前記データは、バーナーから燃焼室までの形状関連データ、前記燃焼室の温度分布関連データ、及び前記バーナーによって前記燃焼室に噴射される火炎の形状関連データを含む圧力算出方法。
【請求項１８】
前記燃焼室の圧力を算出する段階は、
前記制御部が、前記データに基づいて変換行列の固有値を算出する段階を含む請求項１７に記載の圧力算出方法。
【請求項１９】
前記変換行列の固有値を算出する段階は、前記データごとに変換行列の固有値を算出し、
前記燃焼室の圧力を算出する段階は、
前記制御部が、前記データごとに算出された複数の変換行列を合わせて全体行列を算出する段階と、
前記制御部が、前記全体行列について固有値問題を解析する段階と、をさらに含む請求項１８に記載の圧力算出方法。
【請求項２０】
前記全体行列を算出する段階は、
前記複数の変換行列を、その変換行列に基づいたデータによって対角線に並べて合わせ、前記バーナーから前記燃焼室まで順次位置に沿って、その位置に対応するデータに基づいた変換行列の順に並べることを特徴とする請求項１９に記載の圧力算出方法。
【発明の詳細な説明】
【技術分野】
【０００１】
本発明は、燃焼機の圧力を算出する装置に係り、さらに詳細には、燃焼室から火炎が噴射される時に発生する振動を予測する装置に関する。
【背景技術】
【０００２】
ボイラーなどのように燃料を使う発電装置は、燃焼機を備え、燃焼機は、通常、燃料と空気とが混合されるバーナーと、バーナーに連結される燃焼室とを備え、ボイラーに熱を供給する。
【０００３】
燃焼室の内部ではバーナーによって火炎が噴射されつつ振動が発生するが、この時に発生する振動を、一般的に燃焼振動という。燃焼室で発生する燃焼振動の音響周波数が燃焼室の内部空間の音響固有周波数と一致すれば、音響共振が発生し、このような共振および熱音響の不安定性は、燃焼室をはじめとするボイラーの構造物を破損させる恐れがあった。したがって、従来の方法は、熱音響解析モデルを通じて燃焼室内での燃焼振動時の音響特性を予測した。
【０００４】
従来の熱音響解析モデルの１つとして、燃焼室の形状をＳｏｎｄｈａｕｓｓ及びＲｉｊｋｅチューブと仮定し、境界条件などを単純化させて共振及び熱音響不安定性を予測した。
【０００５】
しかし、Ｓｏｎｄｈａｕｓｓ及びＲｉｊｋｅチューブと仮定した従来の熱音響解析モデルは、冷たい領域（ｃｏｌｄ ｚｏｎｅ）及び熱い領域（ｈｏｔ ｚｏｎｅ）での代表温度及びチューブの長さ情報のみを活用して共振状況を予測するため、実際の実験結果と予測結果との間に誤差が大きく発生するという問題点があった。
【０００６】
また、従来の熱音響解析モデルは、燃焼室での燃焼振動の周波数を判断するだけであり、燃焼室での熱音響不安定性を予測するためには、別途にＲｏｔｔ ｃｕｒｖｅのような実験的な不安定曲線を活用せねばならないという問題点があった。
【０００７】
そして、従来の熱音響解析モデルは、複数のバーナーが備えられる燃焼室での燃焼振動を予測する時、１つのバーナーしか分析できないという問題点があった。
【発明の概要】
【発明が解決しようとする課題】
【０００８】
本発明の一実施形態は、燃焼室の燃焼振動の推定確度を向上させた圧力算出装置を提供することを目的とする。
【０００９】
また本発明の一実施形態は、燃焼室の燃焼振動周波数だけではなく熱音響不安定性も共に予測できる圧力算出装置を提供することを目的とする。
【００１０】
また本発明の一実施形態は、複数のバーナーと連結される燃焼室での燃焼振動を一回で予測できる圧力算出装置を提供することを目的とする。
【課題を解決するための手段】
【００１１】
本発明の一実施形態として、バーナーと連結されて火炎が噴射される燃焼室の圧力を算出する圧力算出装置であって、前記バーナーの入口圧力を含むデータを入力する入力部と、前記バーナーから前記燃焼室までの形状、前記燃焼室の温度分布及び前記火炎の形状に基づいて前記燃焼室の圧力を算出する制御部と、を備える圧力算出装置が提供される。
【００１２】
そして、前記データは、前記バーナーから前記燃焼室までの形状関連データ、前記燃焼室の温度分布関連データ、及び前記火炎の形状関連データを含む。
【００１３】
前記制御部は、前記バーナーから前記燃焼室までの形状関連データ、前記燃焼室の温度分布関連データ、及び前記火炎の形状関連データに基づいて算出された固有値（ｅｉｇｅｎｖａｌｕｅ）を持つ変換行列を用いて、前記燃焼室での圧力を算出する。
【００１４】
そして、前記バーナーから前記燃焼室までの形状関連データは、前記バーナーの形状関連データ、前記バーナーと前記燃焼室との連結部の形状変化関連データ、及び前記燃焼室の形状関連データを含む。
【００１５】
また、前記制御部は、前記バーナーの形状関連データに基づいたバーナー形状変換行列、前記バーナーと前記燃焼室との連結部の形状変化関連データに基づいた形状変化変換行列、前記燃焼室の形状関連データに基づいた燃焼室形状変換行列、前記燃焼室の温度分布関連データに基づいた温度分布変換行列、及び前記火炎の形状関連データに基づいた火炎形状変換行列が合わせられた（ｓｕｍｍａｔｉｏｎ）全体行列（ｇｌｏｂａｌ ｍａｔｒｉｘ）を用いて、前記燃焼室の圧力を算出する。
【００１６】
このとき、前記全体行列は、バーナー形状変換行列、形状変化変換行列、温度分布変換行列、火炎形状変換行列及び燃焼室形状変換行列の順に合わせられた行列である。
【００１７】
そして、前記バーナーと前記燃焼室との連結部の形状変化関連データは、前記バーナーの出口端の断面積と前記燃焼室の断面積との比を含む。
【００１８】
そして、前記燃焼室の温度分布関連データは、前記燃焼室での温度グラジエントを含む。このとき、前記温度グラジエントは、数値流体力学（Ｃｏｍｐｕｔａｔｉｏｎａｌ Ｆｌｕｉｄ Ｄｙｎａｍｉｃｓ）を通じて算出される。
【００１９】
そして、前記火炎の形状関連データは、前記火炎の長手方向に沿って抽出された複数の火炎面に基づく。
【００２０】
本発明の他の実施形態として、前記変換行列及び前記全体行列のうち少なくとも１つが保存される保存部をさらに備えることもある。
【００２１】
本発明のさらに他の実施形態として、複数のバーナーと連結されてそれぞれ火炎が噴射される燃焼室の圧力を算出する圧力算出装置であって、前記複数のバーナーの入口圧力を含むデータを入力する入力部と、前記複数のバーナーから前記燃焼室までの形状、前記燃焼室の温度分布及び前記火炎の形状に基づいて前記燃焼室の圧力を算出する制御部と、を備える圧力算出装置が提供される。
【００２２】
前記制御部は、前記複数のバーナーそれぞれについて、該バーナーから前記燃焼室までの形状関連データ、前記燃焼室の温度分布関連データ、及び該バーナーによって前記燃焼室に噴射される火炎の形状関連データに基づいて算出された固有値を持つ変換行列を用いて、前記燃焼室での圧力を算出する。
【００２３】
このとき、前記制御部は、１つのバーナーから前記燃焼室を経て他の１つのバーナーまで順に、該データに基づいて算出された固有値を持つ変換行列が合わせられた全体行列を用いて、前記燃焼室の圧力を算出する。
【００２４】
前記複数のバーナーは、互いに対向してそれぞれ前記燃焼室に連結される第１バーナー及び第２バーナーを備え、前記全体行列は、前記第１バーナーの形状関連データに基づいた第１バーナー形状変換行列、前記第１バーナーと前記燃焼室との連結部の形状変化関連データに基づいた第１形状変化変換行列、前記第１バーナーから噴射される火炎による前記燃焼室の温度分布関連データに基づいた第１温度分布変換行列、前記第１バーナーから噴射される火炎の形状関連データに基づいた第１火炎形状変換行列、前記燃焼室の形状関連データに基づいた燃焼室形状変換行列、前記第２バーナーから噴射される火炎の形状関連データに基づいた第２火炎形状変換行列、前記第２バーナーから噴射される火炎による前記燃焼室の温度分布関連データに基づいた第２温度分布変換行列、前記第２バーナーと前記燃焼室との連結部の形状変化関連データに基づいた第２形状変化変換行列、及び前記第２バーナーの形状関連データに基づいた第２バーナー形状変換行列の順に合わせた行列である。
【００２５】
そして、前記第１及び第２バーナーと前記燃焼室との連結部の形状変化関連データは、前記第１及び第２バーナーの出口端の断面積と前記燃焼室の断面積との比を含み、前記第１及び第２バーナーから噴射される火炎による前記燃焼室の温度分布関連データは、前記燃焼室での温度グラジエントを含み、前記第１及び第２バーナーから噴射される火炎の形状関連データは、該火炎の長手方向に沿って抽出された複数の火炎面に基づく。
【００２６】
一方、本発明のさらに他の実施形態として、圧力算出装置に備えられた入力部がデータを入力する段階と、圧力算出装置に備えられた制御部が、前記データに基づいて燃焼室の圧力を算出する段階と、を含む圧力算出方法が提供される。
【００２７】
前記データは、バーナーから燃焼室までの形状関連データ、前記燃焼室の温度分布関連データ、及び前記バーナーによって前記燃焼室に噴射される火炎の形状関連データを含む。
【００２８】
前記燃焼室の圧力を算出する段階は、前記制御部が、前記データに基づいて変換行列の固有値を算出する段階を含む。
【００２９】
そして、前記変換行列の固有値を算出する段階は、前記データごとに変換行列の固有値を算出し、前記燃焼室の圧力を算出する段階は、前記制御部が、前記データごとに算出された複数の変換行列を合わせて全体行列を算出する段階と、前記制御部が、前記全体行列について固有値問題を解析する段階と、をさらに含む。
【００３０】
そして、前記全体行列を算出する段階は、前記複数の変換行列を、その変換行列に基づいたデータによって対角線に並べて合わせ、前記バーナーから前記燃焼室まで順次位置に沿って、その位置に対応するデータに基づいた変換行列の順に並べる。
【発明の効果】
【００３１】
本発明の一実施形態によれば、バーナー及び燃焼室の形状は、ほぼ実際の形状が反映され、火炎形状も反映されるので、燃焼振動の推定確度が向上するという効果がある。
【００３２】
また本発明の一実施形態によれば、バーナー及び燃焼室の形状、温度分布及び火炎形状に基づいて固有値を算出した変換行列を使うので、燃焼振動の推定確度が向上するという効果がある。
【００３３】
また、本発明の一実施形態によれば、バーナー及び燃焼室の形状、温度分布及び火炎形状に基づいて固有値を算出した複数の変換行列を用いるので、燃焼室の燃焼振動の共振状況及び熱音響不安定性を共に予測できるという効果がある。
【００３４】
また、本発明の一実施形態によれば、複数のバーナーにそれぞれ係る変換行列を合わせることにより、同時に圧力を検出するので、複数のバーナーが連結される燃焼室についても燃焼振動を簡単に予測できるという効果がある。
【図面の簡単な説明】
【００３５】
【図１】本発明の一実施形態による圧力算出装置のブロック図である。
【図２】図１に示した実施形態が適用されるバーナー及び燃焼室を示す概念図である。
【図３】本発明の他の実施形態による圧力算出装置のブロック図である。
【図４】本発明のさらに他の実施形態による圧力算出装置のブロック図である。
【図５】図４に示した実施形態が適用される複数のバーナー及び燃焼室を示す概念図である。
【図６】本発明の一実施形態による圧力算出方法のフローチャートである。
【発明を実施するための形態】
【００３６】
以下、添付した図面を参照して当業者が本発明を容易に実施できるように、望ましい実施形態を詳細に説明する。
【００３７】
図１は、本発明の一実施形態による圧力算出装置のブロック図であり、図２は、図１に示した実施形態が適用されるバーナー及び燃焼室を示した概念図である。図１及び図２を参照して本発明の一実施形態による圧力算出装置を詳細に説明する。
【００３８】
本発明の一実施形態による圧力算出装置１００は、図２に示したボイラーの燃焼室１０での燃焼振動を予測する。具体的に、圧力算出装置１００は、燃焼室１０から火炎が噴射される時の圧力を検出して共振及び熱音響不安定性を予測する。このような圧力算出装置１００は、入力部１１０及び制御部１２０を備える。
【００３９】
入力部１１０は、１つ以上のデータを入力する手段である。データは、燃焼室１０と連結されたバーナー２０の入口圧力（Ｐ０）及び入口流速（Ｕ０）を含む。また、入力部１１０は、後述する変換行列の固有値を算出するためのデータをさらに入力する。このようなデータは、バーナー２０から燃焼室１０までの形状関連データ、燃焼室１０での温度関連データ及び火炎３０の形状関連データを含む。
【００４０】
変換行列の固有値を算出するための基礎を形成するデータについて、図２を参照してさらに具体的に説明する。まず、バーナー２０から燃焼室１０までの形状関連データは、バーナー２０から燃焼室１０までを複数の空間格子に分けて抽出した形状を含む。この時、複数の空間格子は、数値流体力学（ＣＦＤ、Ｃｏｍｐｕｔａｔｉｏｎａｌ Ｆｌｕｉｄ Ｄｙｎａｍｉｃｓ）によって定められ、その間隔は同一でないこともある。このようなバーナー２０から燃焼室１０までの形状関連データは、バーナー２０の形状関連データ、バーナー２０と燃焼室１０との連結部の形状変化関連データ、及び燃焼室１０の形状関連データを含む。
【００４１】
バーナー２０の形状関連データは、図２に表示された番号１から番号３までの領域でのバーナー２０の長さ及び幅を示す値を含む。バーナー２０と燃焼室１０との連結部の形状変化関連データは、図２に表示された番号３での断面積変化に関するデータであり、バーナー２０の断面積と燃焼室１０の断面積との比を示す値を含む。燃焼室１０の形状関連データは、図２に表示された番号３または番号４から燃焼室１０の終端まで、すなわち、番号９までの領域での燃焼室１０の長さ及び幅を示す値を含む。
【００４２】
燃焼室１０での温度関連データは、火炎反応領域（図２に表示された番号３から番号４まで）での温度グラジエント値を含む。このような温度グラジエント値は、燃焼室１０に対してＣＦＤ解析を通じて導出された値である。
【００４３】
火炎３０の形状関連データは、火炎の長手方向（すなわち、火炎が噴射される方向）に沿って抽出された複数の火炎面形状を含む。火炎面は、該位置で火炎３０を薄い面であると仮定して導出した火炎の形状である。火炎面の数は、火炎３０の長さ及び燃焼室１０の長さによって異なって定められる。火炎３０の長さは、バーナー２０に供給される燃料の量及び流速などの因子によって定められる。
【００４４】
このような入力部１１０は、キーボード、キーパッド、マウス、ドームスイッチ、タッチパッドなどの公知の入力手段を使える。
【００４５】
制御部１２０は、バーナー２０から燃焼室１０までの形状、燃焼室１０での温度分布及び火炎３０の形状に基づいて燃焼室１０での圧力を検出する。具体的に、制御部１２０は、前述した各データに基づいて固有値が算出された複数の変換行列（ｔｒａｎｓｆｅｒ ｍａｔｒｉｘ）を用いて、固有値問題（ｅｉｇｅｎｖａｌｕｅ ｐｒｏｂｌｅｍ）を通じて燃焼室１０での燃焼振動時の圧力を検出する。
【００４６】
具体的に、複数の変換行列は、バーナー２０の形状関連データに基づいたバーナー形状変換行列（ＴＢｕｒｎｅｒ Ｄｕｃｔ、以下、ＴＢ）、バーナー２０と燃焼室１０との連結部の形状変化関連データに基づいた形状変化変換行列（ＴＡｒｅａ Ｃｈａｎｇｅ、以下、ＴＡ）、燃焼室１０の形状関連データに基づいた燃焼室形状変換行列（ＴＦｕｒｎａｎｃｅ Ｄｕｃｔ、以下、ＴＦ）、燃焼室１０の温度分布関連データに基づいた温度分布変換行列（ＴＦｌａｍｅ Ｒｅａｃｔｉｏｎ Ｚｏｎｅ、以下、ＴＦＲ）、及び火炎３０の形状関連データに基づいた火炎形状変換行列（ＴＦｌａｍｅ Ｍｏｄｅｌ、以下、ＴＦＭ）を含む。
【００４７】
制御部１２０は、前述した複数の変換行列を対角要素とする全体行列（ｇｌｏｂａｌ ｍａｔｒｉｘ）に対して、固有値問題を解析する。全体行列（Ｔ０）は、下記の数式１のように、バーナー形状変換行列（ＴＢ）、形状変化変換行列（ＴＡ）、温度分布変換行列（ＴＦＲ）、火炎形状変換行列（ＴＦＭ）及び燃焼室形状変換行列（ＴＦ）の順に対角線に並べて合わせた（ｓｕｍｍａｔｉｏｎ）行列である。
【数１】
2015060596.tif 000003
制御部１２０は、下記の数式２のように、バーナー２０の入口端の圧力（Ｐ０）及び入口流速（Ｕ０）のような変数データを入力値として、全体行列（Ｔ０）に対して固有値問題を解析し、燃焼室１０での圧力（Ｐ１）を検出する。
【数２】
2015060596.tif 000004
前述した構成の側面は、制御部１２０によって１つの全体行列を使って、固有値問題を解析して燃焼室１０での圧力（Ｐ１）を検出できるため、これより燃焼室１０の燃焼振動周波数の振幅の状況及び不安定性を同時に予測できるという効果がある。
【００４８】
また前述した構成の側面は、バーナー及び燃焼室の形状において、長さだけではなく幅に基づいた変換行列、燃焼室での温度分布においても、温度グラジエント値に基づいた変換行列、火炎形状に基づいた変換行列をいずれも合わせた全体行列を用いて燃焼振動を予測するため、推定確度が向上するという効果がある。
【００４９】
図３は、本発明の他の実施形態による圧力算出装置のブロック図である。本発明の他の実施形態による圧力算出装置１００'は、前述した入力部１１０及び制御部１２０と共に、保存部１３０及びディスプレイ部１４０をさらに備える。
【００５０】
保存部１３０には、前述した変換行列及び全体行列が保存される。また保存部１３０には、前述した変数データ及び固有値データも保存される。このような保存部１３０には、内蔵または外付けのタイプがあるが、公知の記録媒体を使える。例えば、保存部１３０は、フラッシュメモリタイプ、ハードディスクタイプ、マルチメディア・カードマイクロタイプ、ＳＤやＸＤメモリのようなカードタイプのメモリ、ＲＡＭ、ＳＲＡＭ、ＲＯＭ、磁気メモリ、磁気ディスク、光ディスクのような記録媒体を含む。しかし、これらに限定されるものではなく、保存部１３０は、データを保存できれば、いかなる保存手段であってもよい。
【００５１】
ディスプレイ部１４０は、前述した入力部１１０に入力された変数データ及び固有値データと、前述した制御部１２０で処理される各種情報及び処理結果をと視覚的に示す手段である。このようなディスプレイ部１４０は、液晶ディスプレイ（ＬＣＤ）、薄膜トランジスタ液晶ディスプレイ（ＴＦＴ−ＬＣＤ）、有機発光ダイオード（ＯＬＥＤ）のような公知のディスプレイ手段を使える。但し、これらに限定されるものではなく、入力された各種データ及び処理情報を表示できれば、いかなる手段であってもよい。
【００５２】
図４は、本発明のさらに他の実施形態による圧力算出装置のブロック図であり、図５は、図４に示した実施形態が適用される複数のバーナー及び燃焼室を示す概念図である。図４ないし図５を参照して、本発明のさらに他の実施形態による圧力算出装置１００"を詳細に説明する。
【００５３】
本発明のさらに他の実施形態による圧力算出装置１００"は、図５に示したボイラーの燃焼室１０'での燃焼振動を予測する。燃焼室１０'は、互いに対向する２つのバーナー２０ａ、２０ｂとそれぞれ連結され、火炎がそれから噴射され、圧力算出装置１００"は、燃焼室１０'から火炎が噴射される時の圧力を検出して共振及び熱音響不安定性を予測する。このような圧力算出装置１００"は、入力部１１０"及び制御部１２０"を備える。
【００５４】
入力部１１０"は、前述したように１つ以上のデータを入力する手段である。データは、燃焼室１０'と連結された第１バーナー２０ａ及び第２バーナー２０ｂそれぞれでの入口圧力及び入口流速を含む。
【００５５】
また、入力部１１０"は、後述する変換行列の固有値を算出するためのデータをさらに入力する。このようなデータは、第１バーナー２０ａから燃焼室１０'までの形状関連データ、第２バーナー２０ｂから燃焼室１０'までの形状関連データ、燃焼室１０'での温度関連データ、及び火炎３０ａ、３０ｂの形状関連データなどを含む。このようなデータは、第１バーナー２０ａ及び第２バーナー２０ｂに対してそれぞれ入力され、具体的には、図２を参照して前述した通りであるので、重なる説明は省略する。
【００５６】
制御部１２０"は、各バーナー２０ａ、２０ｂから燃焼室１０'までの形状、燃焼室１０'での温度分布及び火炎３０ａ、３０ｂの形状に基づいて燃焼室１０'での圧力を検出する。具体的に、制御部１２０"は、前述した各データに根拠して算出された固有値を持つ複数の変換行列を用いて、固有値問題を通じて燃焼室１０'での燃焼振動時の圧力を検出する。
【００５７】
具体的に、複数の変換行列は、前述したように、バーナー２０ａ、２０ｂの形状関連データに基づいたバーナー形状変換行列（ＴＢ）、バーナー２０ａ、２０ｂと燃焼室１０'との連結部の形状変化関連データに基づいた形状変化変換行列（ＴＡ）、燃焼室１０'の形状関連データに基づいた燃焼室形状変換行列（ＴＦ）、燃焼室１０'の温度分布関連データに基づいた温度分布変換行列（ＴＦＲ）、及び火炎３０ａ、３０ｂの形状関連データに基づいた火炎形状変換行列（ＴＦＭ）を含む。
【００５８】
本実施形態による制御部１２０"も、前述した制御部１２０のように複数の変換行列を対角要素とした全体行列に対して、固有値問題を解析する。但し、本実施形態の制御部１２０"で使われる全体行列（Ｔｏｐ）は、下記の数式３に示したように、第１バーナー２０ａに関する複数の変換行列の群Ｔ１と、第２バーナー２０ｂに関する複数の変換行列の群Ｔ２とを、燃焼室形状変換行列（ＴＦ）を共通変換行列として合わせた行列である。
【数３】
2015060596.tif 000005
数式３では、第１バーナー２０ａに関する複数の変換行列の群をＴ１にまとめて表示し、第２バーナー２０ｂに関する複数の変換行列の群をＴ２にまとめて表示した。
【００５９】
第１バーナー２０ａに関する複数の変換行列の群Ｔ１は、前述した実施形態による制御部１２０で使われる全体行列（Ｔｏ）と同順に対角線に配列される。そして、第２バーナー２０ｂに関する複数の変換行列の群Ｔ２は、前述した全体行列（Ｔｏ）と逆順に対角線に配列される。
【００６０】
すなわち、本実施形態において全体行列（Ｔｏｐ）は、図５に示された第１バーナー２０ａから燃焼室１０'を経て第２バーナー２０ｂまでの各データに基づいた変換行列が、順にいずれも合わせられた行列である。以下では、第１バーナー２０ａによって噴射される火炎を第１火炎３０ａ、第２バーナー２０ｂによって噴射される火炎を第２火炎３０ｂと定義する。
【００６１】
具体的に、本実施形態において、全体行列（Ｔｏｐ）は、第１バーナー２０ａの形状関連データ、第１バーナー２０ａと燃焼室１０'との連結部の形状変化関連データ、燃焼室１０'の第１火炎３０ａの反応領域での温度分布関連データ、第１火炎３０ａの形状関連データ、燃焼室１０'の形状関連データ、第２火炎３０ｂの形状関連データ、燃焼室１０'の第２火炎３０ｂの反応領域での温度分布関連データ、第２バーナー２０ｂと燃焼室１０'との連結部の形状変化関連データ、及び第２バーナー２０ｂの形状関連データのそれぞれに基づく変換行列を、順に対角線に配列して合わせた行列である。
【００６２】
この時、各データは、図１及び図２を参照して前述した実施形態でのデータと同一であるので、詳細な説明は省略する。
【００６３】
このような制御部１２０"は、前述した数式２と同様に、各バーナー２０ａ、２０ｂの入口端の圧力及び入口流速のようなデータを入力値として、全体行列（Ｔｏｐ）に対して固有値問題を解析し、燃焼室１０"での圧力を検出する。
【００６４】
前述した構成の側面は、図５に示されたように、バーナーが複数備えられた燃焼室に対しても、１つの全体行列に対して固有値問題を解析し、簡単に燃焼振動を予測できるという効果がある。
【００６５】
本発明のさらに他の実施形態として、前述した圧力算出装置１００"は、保存部及びディスプレイ部をさらに備える。
【００６６】
保存部には、数式３による全体行列（Ｔｏｐ）及び個別変換行列はもとより、前述したデータ及び固有値問題の解析結果がさらに保存されている。保存部の具体的な構成及び機能は、図３を参照して前述した保存部１３０と同一であるので、重なる説明は省略する。
【００６７】
ディスプレイ部は、前述した入力部１１０に入力されたデータと、前述した制御部１２０"で処理される各種情報及び処理結果とを視覚的に示す手段である。ディスプレイ部の具体的な機能及び構成は、図３を参照して述べたディスプレイ部１４０と同一であるので、重なる説明は省略する。
【００６８】
図６は、本発明の一実施形態による燃焼振動予測方法のフローチャートである。図１ないし図６を参照して、前述した実施形態による圧力算出装置を用いて燃焼振動を予測する方法を詳細に説明する。
【００６９】
本発明の一実施形態による燃焼振動予測方法は、入力部１１０、１１０"がデータを入力する段階（Ｓ１００）、及び制御部１２０、１２０"が前記データに基づいて燃焼室１０、１０'の圧力を検出する段階（Ｓ２１０、Ｓ２２０、Ｓ２３０）を含む。
【００７０】
入力部がデータを入力する段階（Ｓ１００）は、前述したような各種データを入力部１１０、１１０"が入力される段階である。詳細は、図１ないし図５を参照して前述したので、重なる説明は省略する。
【００７１】
制御部が前記データに基づいて燃焼室の圧力を検出する段階は、変換行列の固有値を算出する段階（Ｓ２１０）、全体行列を算出する段階（Ｓ２２０）、及び固有値問題を解析する段階（Ｓ２３０）を含む。
【００７２】
変換行列の固有値を算出する段階（Ｓ２１０）は、図１ないし図５を参照して前述したように、制御部１２０、１２０"が、バーナーから燃焼室まで、または燃焼室を経て他のバーナーまでの順に、各データに基づいて変換行列の固有値を算出する。詳細は、図１ないし図５を参照して前述したので、重なる説明は省略する。
【００７３】
全体行列を算出する段階（Ｓ２２０）は、制御部１２０、１２０"が、各データに基づいた変換行列を対角要素として全体行列を算出する段階であり、詳細は、図１ないし図５を参照して説明した通りであるので、重なる説明は省略する。
【００７４】
そして、固有値問題を解析する段階（Ｓ２３０）は、制御部１２０、１２０"が、公知の固有値問題解析方法を通じて全体行列を用い、燃焼室の圧力を検出する。これもまた、詳細は、図１ないし図５を参照して前述した通りであるので、重なる説明は省略する。
【００７５】
以上で述べたように、当業者ならば、本発明を、その技術的思想や必須特徴を変更せずに他の具体的な形態で実施できるということを理解できるであろう。したがって、前述した実施形態は、すべての面で例示的なものであり、限定的なものではないということを理解せねばならない。本発明の範囲は、詳細な説明よりは特許請求の範囲によって示され、特許請求の範囲の意味及び範囲そして等価概念から導出されるすべての変更または変形された形態は、本発明の範囲に含まれると解釈されねばならない。
【産業上の利用可能性】
【００７６】
本発明は、圧力算出装置関連の技術分野に好適に用いられる。
【符号の説明】
【００７７】
１００  圧力算出装置
１１０  入力部
１２０  制御部
【図１】
2015060596.tif 000006
【図２】
2015060596.tif 000007
【図３】
2015060596.tif 000008
【図４】
2015060596.tif 000009
【図５】
2015060596.tif 000010
【図６】
2015060596.tif 000011